(57)【特許請求の範囲】
【請求項１】
第１の記録紙に印刷を行うための第１の印字部と、前記第１の記録紙を前記第１の印字部に搬送するための第１の搬送経路と、該第１の搬送経路が形成される第１の基台と、前記第１の搬送経路の一方の側端が開放されているものであって、該第１の印字部を前記第１の基台上部に固定するための第１の片持ち梁とを備えた第１のプリンタと、
第２の記録紙に印刷を行うための第２の印字部を備えた第２のプリンタと、
第２の基台と、該第２の基台上に形成された前記第１の記録紙を搬送する第２の搬送経路と、該第２の搬送経路の一方の側端が開放されているものであって、前記第２の基台に固定された第２の片持ち梁を備えたプリンタ取付台とを有し、
該プリンタ取付台の前記第２の片持ち梁上に、前記第２のプリンタが装着可能であり、かつ前記プリンタ取付台は、前記第１のプリンタの後方に装着可能であり、装着された際、前記第１の搬送経路の延長上に前記第２の搬送経路が連続して前記第１の記録紙の延長された搬送経路を形成し、前記延長された搬送経路の一方の側端が開放され、該開放側とは反対方向の側端に前記第１の片持ち梁と前記第２の片持ち梁を配置し、前記延長された搬送経路により前記第１の記録紙を搬送しながら前記第１の印字部で印刷することを特徴とする複合プリンタ。
【請求項２】
請求項１記載の複合プリンタにおいて、
前記第１のプリンタは、前記第１の印字部を覆う筐体と、該筐体の一部に設けられた開口部と、該第１の印字部を制御する制御手段と、前記第２のプリンタを制御する制御手段とを備え、
前記第２のプリンタは、前記第２の印字部を覆う筐体と、該筐体の一部に設けられた開口部と、前記第２のプリンタを駆動する駆動手段とを備え、
前記各開口部は、前記第１、第２のプリンタが前記取付台に装着されたときに、互いに対向する位置に配置されており、開口部を介して、前記第２のプリンタを制御する制御手段と前記駆動手段が接続されることを特徴とする複合プリンタ。
【請求項３】
請求項２記載の複合プリンタにおいて、該第１の印字部を制御する制御手段のための回路と、前記第２のプリンタを制御する制御する制御手段のための回路が共通のコントロール基板上に形成されていることを特徴とする複合プリンタ。
【請求項４】
請求項１記載の複合プリンタにおいて、
前記第１の片持ち梁を支える固定端の一部に、前記第１の記録紙の側端をガイドする第１の案内部が設けられ、
前記第２の片持ち梁を支える固定端の一部に、前記第１の記録紙の側端をガイドするための第２の案内部が設けられ、
前記各案内部は、前記第１のプリンタが前記取付台に装着されたときに、前記第１の案内部の延長上に前記第２の案内部が連続するように配置されていることを特徴とする複合プリンタ。
【請求項５】
請求項１記載の複合プリンタにおいて、前記第１のプリンタはシリアルインパクトプリンタであり、前記第２のプリンタは、サーマルプリンタであることを特徴とする複合プリンタ。
【請求項６】
第１の記録紙に印刷を行うための第１の印字部と、前記第１の記録紙を前記第１の印字部に搬送するための第１の搬送経路と、該第１の搬送経路が形成される第１の基台と、前記第１の搬送経路の一方の側端が開放されているものであって、前記第１の印字部を前記第１の基台上部に固定するための第１の片持ち梁とを備えた第１のプリンタと、第２の記録紙に印刷を行うための第２の印字部を備えた第２のプリンタとが装着可能なプリンタ取付台において、
第２の基台と、
該第２の基台上に形成され、前記第１のプリンタが装着された際に、前記第１の搬送経路の延長上に連続して前記第１の記録紙の延長された搬送経路を形成する第２の搬送経路と、
前記第２の基台に固定され、前記第２の搬送経路の一方の側端が開放されているものであって、前記第２のプリンタが装着可能な第２の片持ち梁とを備え、前記延長された搬送経路の一方の側端が開放され、該開放側とは反対方向の側端に前記第１の片持ち梁と前記第２の片持ち梁を配置したことを特徴とするプリンタ取付台。
【請求項７】
請求項６記載のプリンタ取付台において、
前記第２の基台には、前記第２の搬送経路の傍らに凸部が形成されており、
前記第２の片持ち梁には、該片持ち梁を前記基台に固定するための掛止部が設けられており、
前記凸部の搬送経路の反対側の側部には、前記掛止部と係合する係合部が設けられており、
前記第２の片持ち梁は、凸部の搬送経路側の肩部に支持されると共に、前記掛止部が前記係合部に係合することにより、前記基台に固定されることを特徴とするプリンタ取付台。
【請求項８】
前記プリンタ取付台には、表示装置を支持する支柱が装着される孔が設けられていることを特徴とする請求項６記載のプリンタ取付台。
【請求項９】
請求項７記載のプリンタ取付台において、
前記第２の基台と、前記第２の片持ち梁には、各々孔が設けられており、
該各孔は、前記片持ち梁が前記基台に固定されたときに連通し、一方の孔の外周壁が他方の孔の内周壁に嵌入されることを特徴とするプリンタの取付台。
【請求項１０】
請求項６記載のプリンタ取付台の前方に装着することが可能なものであって、
第１の記録紙に印刷を行うための第１の印字部と、前記第１の記録紙を前記第１の印字部に搬送するための第１の搬送経路と、該第１の搬送経路が形成される第１の基台と、該第１の印字部を前記第１の基台上部に固定するための第１の片持ち梁と、前記第１の印字部を覆う第１の筐体と、該第１の印字部を制御する制御回路が実装されたコントロール基板を備えたことを特徴とするプリンタ。
【請求項１１】
請求項１０記載のプリンタにおいて、
前記第１の筐体の一部には、第２のプリンタを駆動する駆動手段と、前記コントロール基板とを接続するための開口部が備えられており、
前記第１の筐体に着脱可能で、装着されたときに前記開口部を覆う第２の筐体を備えていることを特徴とするプリンタ。
【請求項１２】
請求項１０記載のプリンタにおいて、
前記コントロール基板は、前記第２のプリンタを制御する制御回路を実装していることを特徴とするプリンタ。
【請求項１３】
請求項６記載のプリンタ取付台の前記第２の片持ち梁上に装着することが可能なものであって、
第２の記録紙に印刷を行うための第２の印字部と、前記第２の印字部を覆う第１の筐体を有し、前記第１の筐体は、前記プリンタを制御する制御部と、該制御部を覆う第２の筐体に装着可能であることを特徴とするプリンタ。
【発明の詳細な説明】
【０００１】
【発明の属する技術分野】
本発明は、例えばＰＯＳ（Ｐｏｉｎｔ−Ｏｆ−Ｓａｌｅｓ）システムに用いられる複合プリンタに関し、特に、単票状のスリップ紙、ロール紙等の複数の記録紙に印字を行うことができる複合プリンタに関する。
【０００２】
【従来の技術】
従来より、例えば、伝票等のスリップ紙に対して印字を行うスリッププリンタが知られている。このスリッププリンタは、控えに複写をする必要があることから、例えば、ドットインパクト方式の印字ヘッドを用いたシリアルプリンタが広く知られている。
【０００３】
また、伝票のサイズには、様々なものがあるので、各種サイズの伝票に対応するため、多くのスリッププリンタは、紙搬送経路の一方の側端が解放されている。
【０００４】
即ち、用紙の進行方向及び幅方向の片側の三方が開口された紙搬送路が形成されている。そのため、印字ヘッド及びそれを往復運動させるための機構を、片持はり状のフレームで支持したものが広く用いられている。
【０００５】
一方、例えば、レシート等を発行するためのレシートプリンタとして、サーマルヘッドを用いた感熱方式によって、ロール状の感熱紙に印字等を行うものが広く知られている。
【０００６】
近年、ＰＯＳシステムが進展しており、店頭における省スペース等の観点からこれら少なくとも２種類の印字部を内蔵した複合プリンタが求められるようになっている。
【０００７】
【発明が解決しようとする課題】
しかしながら、このような複合プリンタにおいて、２つの印字部を共通の筐体内に内蔵すると、次のような問題が生ずる。
【０００８】
すなわち、印字部が複数あるプリンタを製造する場合には、各印字部毎に固有の検査調整を行う必要があるが、（例えば、通電幅の調整、プラテンギャップの調整等）全てを組み立ててから検査、調整することは、作業性の面から好ましくなく、そのため、一つの製品を完成させるまでに、長時間を要するという問題があった。
【０００９】
また、装置の故障時においても、各印字部毎に部品の交換、修繕等を行うのでは、メンテナンスのために長時間を要するという問題があった。
【００１０】
また、複合プリンタに用いられる各プリンタは、組み合わせて複合プリンタとして用いられることもあるが、単独のプリンタとして用いられることもある。即ち、第１、第２の印字部を備えた複合プリンタとして製造されるものもあるし、第１の印字部のみを備えたプリンタ、第２の印字部のみを備えたプリンタとして製造販売されるものもある。このような場合、全てのプリンタについて、各印字部を覆う筐体、印字部を制御する回路基板を各々のプリンタごとに用意しなければならず、コストの低減、納期の短縮という観点からは好ましくなかった。
【００１１】
また、省スペースの観点から、スリッププリンタの印字機構の側近にレシートプリンタの印字部を配置するレイアウトが好ましいが、そうすると、スリッププリンタの印字機構を支える片持ち梁に、該印字機構の重さに加えて、レシートプリンタの重さを加えた荷重が片持ち梁に加わることになり、片持はりの固定端においてかなりの強度が必要とされる。
【００１２】
さらに、印字機構を支える梁の長さが長くなるほど、固定端側と自由端側のプラテンギャップ（印字ヘッドとプラテン間の距離）の差が生じやすくなる。このように、プラテンギャップを精度良く調整できないと、印字された文字に濃淡がみられるようになり、印刷品質が悪化する。片持ち梁の加重が増加するほどこの傾向は大きくなる。
【００１３】
本発明は、このような課題を考慮してなされたもので、プリンタの組立、メンテナンスの容易な、さらに製造コストの安価な複合プリンタを提供することを目的とするものである。また、印刷品質を損なうことなく、設置面積が小さな複合プリンタを提供することを目的とする。
【００１４】
【課題を解決するための手段】
上記目的を達成するため、本発明の複合プリンタは、以下に示す第１のプリンタと、第２のプリンタと、これらが装着可能なプリンタ取付台を有することを特徴とする。また、本発明の複合プリンタに用いられるプリンタ及び、プリンタが取り付けられるプリンタは、以下の特徴を有する。
【００１５】
即ち、第１のプリンタは、第１の記録紙に印刷を行うための第１の印字部と、第１の記録紙を第１の印字部に搬送するための第１の搬送経路と、該第１の搬送経路が形成されている第１の基台と、第１の搬送経路の一方の側端が開放されているものであって、該第１の印字部を前記第１の基台上部に固定するための第１の片持ち梁とを備えている。例えば、この第１のプリンタの印字部には、シリアルインパクト方式のプリントヘッドが用いられ、第１の記録紙には単票紙が用いられる。
【００１６】
第２のプリンタは、第２の記録紙に、印刷を行うための第２の印字部を備えている。例えば第２の記録紙は、ロ−ル状の感熱紙からなり、第２の印字部にはラインサーマルヘッドが用いられる。
【００１７】
プリンタ取付台は、第２の基台と、該第２の基台上に形成された前記第１の記録紙を搬送する第２の搬送経路と、該第２の搬送経路の一方の側端が開放されているものであって、前記第２の基台に固定された第２の片持ち梁を備えている。
【００１８】
そして、プリンタ取付台の前記第２の片持ち梁上には、前記第２のプリンタが装着可能である。また、前記プリンタ取付台は、前記第１のプリンタの後方に装着可能であり、装着された際、前記第１の搬送経路の延長上に前記第２の搬送経路が連続して前記第１の記録紙の延長された搬送経路を形成し、前記延長された搬送経路の一方の側端が開放され、該開放側とは反対方向の側端に前記第１の片持ち梁と前記第２の片持ち梁を配置したことを特徴とする。
【００１９】
このように、第２のプリンタは、第１の印字部を備えた第１の片持ち梁とは異なるプリンタ取付台上の第２の片持ち梁上に搭載されるため、第１の片持ち梁に過大な荷重が加わることがない。即ち、第１の片持ち梁には第１の印字部の荷重が加わり、第２の片持ち梁には第２のプリンタによる荷重が加わる。そして、第１の印字部と第１の搬送経路に設けられたプラテンとの間の距離（プラテンギャップ）の精度が悪化することを防止できる。
【００２０】
また、これにより、第１、第２のプリンタを各々独立した製造ラインで組み立て、調整、検査したのちに、各プリンタをプリンタ取付台に装着して複合プリンタを組み立てる製造プロセスを採用することが可能であり、作業性が向上する。また、いずれかのプリンタが故障した場合であっても、各プリンタを簡単に分離できることから、メンテナンスも容易である。
【００２１】
また、第１のプリンタには、前記第１の片持ち梁を支える固定端の一部に、単票紙の側端をガイドする第１の案内部が設けられ、前記第２の片持ち梁を支える固定端の一部に、単票紙の側端をガイドするための第２の案内部が設けられている。これらの各案内部は、第１のプリンタが取付台に装着されたときに、第１の案内部の延長上に第２の案内部が連続するように配置されている。これにより、単票紙を確実に案内できる。
【００２２】
また、さらに第１のプリンタは、第１の印字部を覆う筐体と、該筐体の一部に設けられた開口部と、該第１の印字部を制御する制御回路と、前記第２のプリンタを制御する制御する制御回路とを備えており、第２のプリンタは、前記第２の印字部を覆う筐体と、該筐体の一部に設けられた開口部と、前記第２のプリンタを駆動する駆動手段とを備えている。
【００２３】
これらの各開口部は、前記第１、第２のプリンタが前記取付台に装着されたときに、互いに対向する位置に配置されている。
【００２４】
このように、第１、第２のプリンタを用いて、複合プリンタを製造するときは、開口部を介して、前記第２のプリンタを制御する制御する制御手段と前記駆動手段が接続される。
【００２５】
一方、このように第２のプリンタと複合可能な第１のプリンタを、単独なプリンタとして製造する場合は、前記開口部を覆う筐体を準備し、開口部を塞げばよい。また、このように第１のプリンタと複合可能な第２のプリンタを、単独なプリンタとして製造する場合、第２のプリンタのみを制御する制御回路が形成された基板と、該回路基板を覆う第２の筐体を準備し、第２のプリンタの下部に取り付ければよい。
即ち、本発明における単独なプリンタは、前記プリンタ取付台の前方に装着することが可能なものであって、第１の記録紙に印刷を行うための第１の印字部と、前記第１の記録紙を前記第１の印字部に搬送するための第１の搬送経路と、該第１の搬送経路が形成される第１の基台と、該第１の印字部を前記第１の基台上部に固定するための第１の片持ち梁と、前記第１の印字部を覆う第１の筐体と、該第１の印字部を制御する制御回路が実装されたコントロール基板を備えたことを特徴とする。
さらに、上述の単独なプリンタにおいて、前記第１の筐体の一部には、第２のプリンタを駆動する駆動手段と、前記コントロール基板とを接続するための開口部が備えられており、前記第１の筐体に着脱可能で、装着されたときに前記開口部を覆う第２の筐体を備えていることを特徴とする。
さらに、上述の単独なプリンタにおいて、前記コントロール基板は、前記第２のプリンタを制御する制御回路を実装していることを特徴とする。
本発明における他の単独なプリンタは、前記プリンタ取付台の前記第２の片持ち梁上に装着することが可能なものであって、第２の記録紙に印刷を行うための第２の印字部と、前記第２の印字部を覆う第１の筐体を有し、前記第１の筐体は、前記プリンタを制御する制御部と、該制御部を覆う第２の筐体に装着可能であることを特徴とする。
【００２６】
従って、複合プリンタを含む、３種類のプリンタを製造する場合、筐体、回路基板等の多くの部品を共通化、兼用でき、製造コストを低減すると共に、短納期で用途に応じた数種類のプリンタを提供できる。
【００２７】
【００２８】
【発明の実施の形態】
以下、本発明に係る複合プリンタの一実施の形態を図１〜図１２を参照して詳細に説明する。
【００２９】
（複合プリンタ、スリッププリンタ部の構造について）
図１は、本実施の形態の複合プリンタ１の外観構成を示す斜視図である。また、図１２（ａ）は、図１に示す複合プリンタ１の断面図である。
【００３０】
図１に示すように、本実施の形態の複合プリンタ１は、単票紙に印字を行うためのインパクト方式の第１のプリンタ２（以下スリッププリンタと呼ぶ）と、ロール状の感熱紙に対して印字を行うためのサーマル方式の第２のプリンタ３（以下レシートプリンタと呼ぶ）と、スリッププリンタ２の後方に接続されると共に、レシートプリンタ３が搭載される取付台４とから構成される。
【００３１】
図１に示すように、スリッププリンタ２と、レシートプリンタ３と、取付台４とは、それぞれが組み合わされることによって一体的な外観を呈するように着脱自在に構成されている。
【００３２】
図２〜図４は、スリッププリンタ２の部分の全体構成を示すもので、図２は前方側から見た斜視図、図３は正面図、図４は後方側から見た斜視図である。
【００３３】
図２に示すように、スリッププリンタ２は、主に、基台２０（第１の基台）と、この基部２０の上に設けられた片持ち梁によって支持される印字部２１とから構成される。図１２（ａ）に示すように、基部２０は、主に、スリップ紙の印字部への挿入を案内するドキュメントテーブル２０ｂと、スリップ紙を搬送するための紙送り駆動ローラ２６ａ、プラテン２７（、下ケース２０ａ部分に内蔵される回路基板１００等から構成される。
【００３４】
また、下ケース２０ａの隅部には、ドキュメントテーブル２０ｂに隣接するように、制御スイッチ等を有する操作パネル２５が設けられる。また、下ケース２０ａの前面の隅には電源スイッチ２４が設けられている。なお、スリッププリンタ２の筐体２Ａを構成するケース２０ａ、２１ａ、２１ｂは、ＡＢＳ等の樹脂からなる。
【００３５】
印字部２１は、上ケース２１ａと、その前方側に設けられる前カバー２１ｂで覆われており、図３に示すように、このケース２１ａ，２１ｂ内には、ガイド軸２２ｂに沿って往復移動可能なキャリッジ２２ｃ上に搭載されたシリアルドットインパクト方式の印字ヘッド２２ａが収納されている。印字ヘッド２２ａの前面に挿入・搬送されたスリップ紙に不図示のインクリボンを用いて印字を行う。
【００３６】
この印字ヘッド２２ａを支持・案内するガイド軸２２ｂは、操作パネル２５側の部分を固定端とする片持ちはり状のフレーム２９によって支持されている。フレーム２９は、基部２０の取付部２０ｄに固定されている。
【００３７】
図１２（ａ）に示すように、基部２０の印字ヘッド２２ａが対向する位置には、プラテン２７が設けられており、プラテン２７の手前には、挿入されたスリップ紙を搬送するための紙送り駆動ローラ２６ａが設けられている。ケース２１ｂには、閉じたときに、駆動ローラ２６ａと接する従動ローラ２６ｂが設けられており、ドキュメントテーブル２０ｂ前方側から挿入されたスリップ紙は、駆動、従動ローラ２６ａ，２６ｂに挟持され、駆動ローラ２６ａを回転することにより、ドキュメントテーブル２０ｂと印字部２１との間に形成された第１の紙搬送路２３内を進む。なお、駆動ローラ２６ａは、紙搬送路２３に対し進退可能に取り付けられ、スリップ紙を挿入する際は、図の想像線の位置に待避する。挿入後、スリップ紙は、駆動、従動ローラ２６ａ，２６ｂに挟持される。
【００３８】
図３に示すように、印字部２１を支持する片持ち梁の固定端には、挿入されたスリップ紙の側端をガイドする第１の案内部２０ｃが設けられている。このように、スリッププリンタ２は、片持ち梁の固定端側に設けられた案内部２０ｃを除く、紙の進行方向及び幅方向の片側の三方が開口された搬送経路２３を備えている。
【００３９】
図４、図１２（ａ）に示すように、上ケース２１ａの後部には、開口部２１ｃが設けられている。そして、印字部２１内の印字ヘッド２２ａの後方には、レシートプリンタ３内のサーマルヘッド３４、プラテンローラ３５駆動用のステップモータ３７を駆動するための信号線３３をスリッププリンタ２中の制御回路１００に接続するための中継基板２５が設けられている。
【００４０】
（レシートプリンタ部の構造について）
図５は、本発明の第２のプリンタの一例としてのレシートプリンタ３の外観構成を示す斜視図である。
【００４１】
このレシートプリンタ３は、例えば、ＰＯＳシステム等に用いられるレシートを発行する印刷装置に適用されるものである。
【００４２】
図１２（ａ）に示すように、レシートプリンタ３は、例えばロール状の感熱紙Ｒに対してサーマルヘッド３４により印字を行いレシートを発行するものである。
【００４３】
レシートプリンタ３は、サーマルヘッド３４のほかに、ロ−ル紙Ｒを収納するロ−ル紙収納部、ロ−ル紙を搬送するためのゴム製の円筒状のプラテンローラ３５、プラテンローラ３５を回転させるためのステップモータ３７、サーマルヘッド３４をプラテンに押しつけるための押圧機構、印刷されたレシートを切断するためのオートカッター３６を備えている。
【００４４】
そして、これらは、 ＡＢＳ等の樹脂からなる側面部を覆う上ケース３０と、上部分を覆うカバー３１とからなる筺体３Ａに内蔵されている。印字後のレシートは、オートカッター３６で切断され、紙排出口３２から排出される。
【００４５】
図５に示すように、上ケース３０の前側部分は開口部３８が形成され、筺体３Ａ内のサーマルヘッド３４、モータ３７、オートカッタ３６を駆動するモータに接続されたＦＦＣ３３の接続端子３３ａが露出するように構成されている。そして、これらの接続端子３３ａは、レシートプリンタ３をプリンタ取付台４に取り付け、スリッププリンタ１につなげる際に、図４に示す中継基板２５に設けられたコネクタに接続される。
【００４６】
かかる構成によれば、リード線の引き回しを円滑に行うことができ、装置の組立性を向上させることができる。本複合プリンタは開口部２１ｃ、３８からのリード線等を接続した後に、開口部同志が対向し配置されるのでこれらのリード線は内蔵されて外から見えなく、あたかも単一のプリンタであるような外観を呈する。
【００４７】
（プリンタ取付台の構造について）
図６及び図７は、取付台４の外観構成を示すものであり、図６は後方側から見た斜視図であり、図７は前方側から見た斜視図である。
【００４８】
図６及び図７に示すように、取付台４は、取付台基部４０と、この取付台基部４０の上に固定・支持され、レシートプリンタ３が取り付けられる片持はり部４１とから構成される。取付台基部４０と片持ち梁部４１は、それぞれＡＢＳ等の樹脂からなり、各々樹脂成形された後、後述する方法で組み合わされる。なお、図８に、取付台基部４０の斜視図、図９に、片持はり部４１の斜視図を示す。
【００４９】
図７に示すように、取付台基部４０は、孔が形成された円柱状の突出部４０ｊが複数個形成されており、図４に示すようにスリッププリンタ２の下ケース２０ａの小径部を備えた凹部２０ｆに、取付台の突出部４０ｊを勘合させて、スリッププリンタ３に取付台４を接続した後、取付台基部４０の後部より突出部４０ｊの孔に沿って嵌入したタッピングねじを締めることにより、これらを固定する。
【００５０】
このようにして、片持ち梁部４１の固定端が、スリッププリンタ１の片持ち梁の固定端と合うように、スリッププリンタ１の後方に取付台４が固定される。
【００５１】
そして、これにより、片持はり部４１と取付台基部４０との間の第２の搬送経路４２と、スリッププリンタ２の第１の搬送経路２３がつながり、連続したフラットな搬送経路が形成される。即ち、図１に示すように、取付台ドキュメントテーブル４０ｂとドキュメントテーブル２０ｂの表面が、同一の高さとなり、また、取付台の案内部４０ｉが、スリッププリンタ２の案内部２０ｅの延長上に連続するように、各部は形成されている。
【００５２】
図８に示すように、取付台基部４０は、下ケース４０ａと、この下ケース４０ａの上の取付台ドキュメントテーブル４０ｂとを一体形成して作られている。溝部４０ｈは、下ケース２０ａにドキュメントテーブル２０ｂを組み合わせた場合に溝部と同じ高さとなるように成形されている。このことにより、図１に示すように、スリッププリンタ２と取付台４とは、組み合わせたときにあたかも、単一なプリンタであるような一体的な外観を呈することとなる。
【００５３】
図８に示すように、取付台基部４０のドキュメントテーブル４０ｂの一方の端には、片持ち梁部４１を固定するための受け台４０ｃが形成されており、さらに、この受け台４０ｃの上部には、下ケース４０ａの底部まで貫通している孔４０ｅが形成されており、孔４０ｅの周囲には、円形のリブ４０ｄが形成されている。
【００５４】
図９に示すように、片持はり部４１は、受け台４０ｃに連結される連結部４１ａとはり部４１ｂとから構成される。連結部４１ａとはり部４１ｂとは、ＡＢＳ等の樹脂の一体成形によって形成され、また、はり部４１ｂの上には、サーマルプリンタ３を位置決め支持するためのプリンタ支持部４１ｃが設けられている。なお、蓋４５の下方には、孔４０ｅとほぼ同じ大きさの孔４１ｅが設けられており、この孔４１ｅには、表示装置の支柱を挿入することが可能である。表示装置をプリンタに取り付ける際は、蓋４５は取り外される。
【００５５】
以下、図１０及び図１１を用いて、取付台基部４０と片持はり部４１との連結方法を説明する。。
【００５６】
図１０は、プリンタ取付台４にレシートプリンタ３を取り付けた状態を示す平面図であり、取付台基部４０と片持はり部４１の接続部分を断面図で示してある。
【００５７】
片持ち梁部４１の連結部４１ａに形成した爪４１ｆが、受け台４０ｃに形成された穴部４０ｆに嵌入され、梁部４１の上下方向の移動が規制される。他方、受け台４０ｃの肩部４０ｇと連結部４１ａの当接部４１ｇが当接し、梁部４１ｂに加わる荷重は、主に、受け台４０ｃの肩部４０ｇで受けることになる。
【００５８】
このように、肩部４０ｇが梁部４１ｂに加わる荷重を受け、爪４１ｆが、はり部４１ｂが取付台搬送経路４２を狭くする方向に作用するモーメントを受ける構造であるから、梁に大きな荷重が加わっても、梁が撓むことを防止できる。なお、肩部４０ｇから当接部４１ｇが離れないようにするため、不図示のネジで、受け台４０ｃと連結部４１ａは固定される。
【００５９】
さらに、本実施の形態においては、連結部４１ａの内側に、受け台４０ｃのリブ４０ｄと嵌合する円筒状のリブ４１ｄが形成され、これらの嵌合により、取付台基部４０と片持はり部４１とは更に強固に連結される。
【００６０】
またさらに、図１１に示すように、連結部４１ａの底部に支柱支持部材４３を下側からはめ込み、この支柱支持部材４３に、上側から、プリンタ取付台４の孔４０ｅ、４１ｅから挿入された表示装置の支柱４４をはめ込むことにより、表示装置が、プリンタ取付台に固定される。なお、支柱４４の上方には、商品の合計金額等を顧客に表示するためのカスタマディスプレー（不図示）が予め取り付けられている。
【００６１】
支柱４４は、支柱支持部材４３に加え、その周壁が、プリンタ取付台４の孔４０ｅ、４１ｅに嵌入されているため、支柱４４は、プリンタ取付台４に対し傾むくことなく、十分な強度をもって取り付けられる。
【００６２】
また、さらに、支柱が挿入されることにより、取付台基部４０と片持はり部４１とは一層強固に連結される。
【００６３】
レシートプリンタ３は、上述したプリンタ取付台４上の片持ち梁上に搭載されるため、スリッププリンタ２の片持ち梁に過大な荷重が加わることがない。即ち、各プリンタの印字部の荷重は、各々別体の片持ち梁に加わる。このため、スリッププリンタの印字部とプラテンとの間の距離（プラテンギャップ）の精度が悪化することを防止できる。
【００６４】
（各プリンタのコントロール基板の配置について）
図１２、図１３、図１４は、本発明のプリンタの各形態を示す断面図であり、図１２は、スリッププリンタ２と、レシートプリンタ３を組み合わせた複合プリンタの断面図を示し、図１３は図１２に示すスリッププリンタ１を単独で用いた形態、図１４は図１２に示すレシートプリンタ２を単独で用いた形態を示すものである。
【００６５】
図１２に示す複合プリンタに内蔵されたコントロール基板１００上には、入出力回路１０１，演算回路１０２、スリッププリンタ用の駆動回路１０４，及びレシートプリンタ用の駆動回路１０３が形成されている。
【００６６】
入出力回路１０１は、ホストに接続されたシリアルまたは、パラレルの信号線１０５を介して、ホストから送信されるデータもしくはコマンドを受信したり、プリンタのステータスをホストに送信するための回路である。
【００６７】
演算回路１０２は、ホストから送信されたコマンド、データに応じて、駆動回路１０３，１０４を制御するものである。即ち、ホストから送られたコマンドを解釈し、スリッププリンタのデータであったら、そのデータをスリッププリンタの駆動回路１０４内のバッファに送り、レシートプリンタのデータであったら、そのデータをレシートプリンタの駆動回路１０３内のバッファに送る。また、不図示の記録紙の有無を検出するための各プリンタのセンサの状態等に応じ、入出力回路１０１を介して、ホストにプリンタのステータスを送信する。
【００６８】
スリッププリンタの駆動回路１０４は、スリップ紙に印刷を行うための印字データを格納するためのバッファ、印字ヘッド２２ａを駆動するためのドライバ、印字ヘッドを紙送り方向と垂直な方向に走査するための、またはスリップ紙を搬送するためのモータ２８を駆動するドライバ等からなり、演算回路１０２によりコントロールされる。
【００６９】
レシートプリンタの駆動回路１０３は、ロール状のレシート紙Ｒに印刷を行うための印字データを格納するためのバッファ、サーマルヘッド３４を駆動するためのドライバ、プラテンローラ３５を駆動しロ−ル紙Ｒを搬送するためのモータ３７を駆動するためのドライバ、印刷されたレシート紙を切断するためのオートカッタ３６を駆動するためのドライバ等からなり、演算回路１０２によってコントロールされる。なお、駆動回路１０３内のドライバからの出力はスリッププリンタ２内に設けられた中継基板２５を介して、モータ３７，サーマルヘッド３５，オートカッタ３６に伝達される。
【００７０】
このように、レシートプリンタ３を駆動するための駆動回路１０３は、他の回路と共に、スリッププリンタ２内の１枚のコントロール基板１００上に設けられている。
【００７１】
複合プリンタに用いられるスリッププリンタを利用して、単独のスリッププリンタを製造するときは、図１３に示すように、スリッププリンタ２の後面の開口部２１ｃをカバー５０で覆うのみでよい。
【００７２】
このような形態のスリッププリンタに、駆動回路１０３を実装したコントロールボードを用いても、機能的に不都合は生じないが、製造コストを押さえるためには、駆動回路１０３を実装していないコントロール基板１００を用いることが望ましい。また、このような形態のスリッププリンタを製造する際には、中継基板２５も特に必要としない。
【００７３】
また、複合プリンタに用いられるレシートプリンタを利用して、単独のレシートプリンタを製造するときは、図１４に示すように、レシートプリンタ専用のコントロール基板１１０を内蔵した下ケース３８を準備し、この上側にレシートプリンタ部３を装着し、コントロール基板１１０と、サーマルヘッド３４，オートカッタ３６及びモータ３７間を配線すればよい。
【００７４】
コントロール基板１００で用いた各回路、入出力回路１０１、演算回路１０２、駆動回路１０３、１０４は、ユニット化されており、コントロール基板１１０には、入出力回路１０１、演算回路１０２、駆動回路１０３が実装されている。
【００７５】
このように、共用できる部分は可能な限り共通化して回路、筐体等をユニット化し、用途に応じて組み合わせることにより、プリンタの製造単価を低減することが可能となる。また、これにより、各プリンタを各々独立した製造ライン組み立て、調整、検査したのちに、各プリンタをプリンタ取付台に装着して複合プリンタを組み立てる製造プロセスを採用することが可能であり、製造時の作業性が向上する。また、いずれかのプリンタが故障した場合であっても、各プリンタ部を簡単に分離できることから、メンテナンスも容易である。
【００７６】
なお、本発明は上述の実施の形態に限られることなく、種々の変更を行うことができる。例えば、上述の実施の形態においては、スリッププリンタとしてドットインパクト方式のものを用いたが、本発明はこれに限られることなく、種々の方式のプリンタを用いることができる。
【００７７】
また、片持はり部に搭載されるプリンタとしては、特に方式を問わず、種々のものを用いることができる。例えば上述の実施の形態のように、熱転写方式によるもののほか、インクジェット方式によるものなどを使用しうる。ただし、ドットインパクト方式やインクジェット方式のプリンタのように印字手段と記録紙の隙間が印字品質に影響を与えるプリンタの場合、付加されるプリンタを取付台が支持して片持ちはり部に影響を与えない本願は効果的である。
【００７８】
さらに、本発明の複合プリンタとパーソナルコンピュータを一体的に構成することも可能であり、その場合には、汎用性及び省スペースに寄与しうるものである。
【００７９】
【発明の効果】
以上述べたように、本発明によれば、第２のプリンタは、第１の印字部を備えた第１の片持ち梁とは異なるプリンタ取付台上の第２の片持ち梁上に搭載されるため、第１の片持ち梁に過大な荷重が加わることがない。即ち、第１の片持ち梁には第１の印字部の荷重が加わり、第２の片持ち梁には第２のプリンタによる荷重が加わる。そして、第１の印字部と第１の搬送経路に設けられたプラテンとの間の距離（プラテンギャップ）の精度が悪化することを防止できる。
【００８０】
また、本発明によれば、共用できる部分は可能な限り共通化して各要部をユニット化し、用途に応じて組み合わせることにより、プリンタの製造単価を低減することが可能となる。また、これにより、各プリンタを各々独立した製造ライン組み立て、調整、検査したのちに、各プリンタをプリンタ取付台に装着して複合プリンタを組み立てる製造プロセスを採用することが可能であり、作業性が向上する。また、いずれかのプリンタが故障した場合であっても、各プリンタ部を簡単に分離できることから、メンテナンスも容易である。
【図面の簡単な説明】
【図１】本発明に係る複合プリンタの一実施の形態の外観構成を示す斜視図である。
【図２】同実施の形態におけるスリッププリンタの全体構成を示すもので、前方側から見た斜視図である。
【図３】同実施の形態におけるスリッププリンタの全体構成を示す正面図である。
【図４】同実施の形態におけるスリッププリンタの全体構成を示すもので、後方側から見た斜視図である。
【図５】同実施の形態のレシートプリンタの外観構成を示す斜視図である。
【図６】同実施の形態における取付台の外観構成を示すもので、前方側から見た斜視図である。
【図７】同実施の形態における取付台の外観構成を示すもので、後方側から見た斜視図である。
【図８】同実施の形態における取付台の基部の外観構成を示す斜視図である。
【図９】同実施の形態における取付台の片持はり部の外観構成を示す斜視図である。
【図１０】同実施の形態における基部と片持はり部との連結状態を示す説明図である。
【図１１】同実施の形態における基部と片持はり部との連結状態を示す説明図である。
【図１２】本発明の複合プリンタの断面図である。
【図１３】本発明のスリッププリンタの断面図である。
【図１４】本発明のレシートプリンタの断面図である。
【符号の説明】
１    複合プリンタ
２    スリッププリンタ
２０    基部
２１    印字部
２３    第１の搬送経路
２５    中継基板
３    レシートプリンタ
３３    ＦＦＣ
４    取付台
４０    基部
４１  片持はり部
４２  第２の搬送経路
【図１】
0003952537.tif 000002
【図２】
0003952537.tif 000003
【図３】
0003952537.tif 000004
【図４】
0003952537.tif 000005
【図５】
0003952537.tif 000006
【図６】
0003952537.tif 000007
【図７】
0003952537.tif 000008
【図８】
0003952537.tif 000009
【図９】
0003952537.tif 000010
【図１０】
0003952537.tif 000011
【図１１】
0003952537.tif 000012
【図１２】
0003952537.tif 000013
【図１３】
0003952537.tif 000014
【図１４】
0003952537.tif 000015